(57)【要約】【課題】広告のリクエスト、登録、利用という３段階で定量的に広告効果を計ることができる広告効果集計装置を提供する。【解決手段】ユーザ端末２から、画像読み取り部２１によるコードの読み取り情報、又は、情報アクセス番号処理部２２による情報アクセス番号のうちのいずれか一方が送信されてきたとき、それに基づいて、データベース１１から対応する広告情報の登録の有無を検索し、当該広告情報が登録されていた場合、当該広告情報についての広告リクエストとしてデータベースに記録する広告検索部１２と、ユーザ端末からネットワークを介してコンテンツ提供要求が行われた場合、当該コンテンツに関する広告情報をデータベース１３に登録するコンテンツ処理部４１と、ユーザ端末からの認証要求に応じて固有の識別情報及び広告情報の認証を行い、適正であった場合に、当該広告情報について広告利用としてデータベース１３に記録する認証部１５とを備える。【選択図】図１
2007213186.tif 000002
【特許請求の範囲】
【請求項１】
コードの読み取り情報、又は、広告用の情報アクセス番号のうちのいずれか一方がユーザ端末から送信されてきたとき、それに基づいて、データベースから対応する広告情報の登録の有無を検索し、当該広告情報が登録されていた場合、当該広告情報についての広告リクエストとしてデータベースに記録する広告検索手段と、ユーザ端末からネットワークを介してコンテンツ提供要求が行われた場合、当該コンテンツに関する広告情報をデータベースに登録する広告情報登録手段と、ユーザ端末からの認証要求に応じて固有の識別情報及び広告情報の認証を行い、適正であった場合に、当該広告情報について広告利用としてデータベースに記録する認証手段とを備えたことを特徴とする広告効果集計装置。
【請求項２】
広告検索手段は、当該広告情報についての検索結果情報をユーザ端末に送信することを特徴とする請求項１に記載の広告効果集計装置。
【請求項３】
広告検索手段は、当該広告情報が登録されていた場合、その広告情報と関連づけて登録されているコンテンツ提供先のアドレス情報をユーザ端末へ送信することを特徴とする請求項１又は２に記載の広告効果集計装置。
【請求項４】
ユーザ端末へ送信されるアドレス情報は、ユーザ端末のインターネットプラウザ部で画面表示してアクセスできるＵＲＬであることを特徴とする請求項３に記載の広告効果集計装置。
【請求項５】
広告情報登録手段は、コンテンツを提供するコンテンツサーバから広告情報を読み出してデータベースに登録することを特徴とする請求項１、２、３又は４に記載の広告効果集計装置。
【請求項６】
ユーザ端末からの認証要求は、固有の識別情報が保存されている記録媒体を、ユーザ端末側でリーダーにて読み取ることにより行われることを特徴とする請求項１、２、３、４又は５に記載の広告効果集計装置。
【発明の詳細な説明】
【技術分野】
【０００１】
本発明は、携帯電話機や携帯情報端末やパーソナルコンピュータ等のユーザ端末から、ユーザによる広告利用情報を得て広告効果を集計する広告効果集計装置に関する。
【背景技術】
【０００２】
従来、新聞、雑誌、フリーペーパーなどの紙面に掲載した広告では、実際にどれだけのユーザが興味を持ったか、利用したかという広告効果を計ることが困難であった。
【０００３】
特許文献１（特開２００４−５７４５号公報）には、チラシ等の広告媒体と、表示画面を有する携帯通信機器と、その表示画面に表示され且つ広告媒体に掲載されたアクセス先に対応する第１のウェブサイトを携帯通信機器に提供する第１の情報処理装置（広告代理店サーバ）と、携帯通信機器の表示画面に表示され且つ第１のウェブサイトに掲載されたアクセス先に対応する第２のウェブサイトを携帯通信機器に提供する第２の情報処理装置（コンテンツ事業者サーバ）と、携帯通信機器から第１のウェブサイト又は第２のウェブサイトへのアクセス数を処理するアクセス数処理装置（ＰＣ）とを備え、第１の情報処理装置は、携帯通信機器から第１のウェブサイトへの第１のアクセス数を計測し、または、携帯通信機器から第１のウェブサイトを経由した  第２のウェブサイトへの第２のアクセス数を計測し、アクセス数処理装置は、広告媒体の内容、該内容に対応した広告媒体の露出数及び計測された第１のアクセス数又は計測された第２のアクセス数に基づいて広告効果を算出する広告効果測定システムが開示されている。
【０００４】
このシステムは、チラシ等の広告媒体の広告効果を測定できるようにしたものであるが、ユーザと広告利用との関係や、広告が広告対象である商品の購入にまで結びついたかどうかまでの効果のプロセスまでは分からない。
【特許文献１】特開２００４−５７４５号公報
【発明の開示】
【発明が解決しようとする課題】
【０００５】
本発明の課題は、新聞、雑誌、フリーペーパーなどに掲載された広告の広告効果を、携帯電話機や携帯情報端末やパーソナルコンピュータ等のユーザ端末を利用し、広告を見た回数ばかりでなく、ユーザと広告利用との関係、更に、広告が広告対象である商品の購入にまで結びついたかどうかまで、定量的に３段階で計ることができる広告効果集計装置を提供することにある。
【課題を解決するための手段】
【０００６】
本発明の広告効果集計装置は、コードの読み取り情報、又は、広告用の情報アクセス番号のうちのいずれか一方がユーザ端末から送信されてきたとき、それに基づいて、データベースから対応する広告情報の登録の有無を検索し、当該広告情報が登録されていた場合、当該広告情報についての広告リクエストとしてデータベースに記録する広告検索手段と、ユーザ端末からネットワークを介してコンテンツ提供要求が行われた場合、当該コンテンツに関する広告情報をデータベースに登録する広告情報登録手段と、ユーザ端末からの認証要求に応じて固有の識別情報及び広告情報の認証を行い、適正であった場合に、当該広告情報について広告利用としてデータベースに記録する認証手段とを備えたことを特徴とする。
【０００７】
その好ましい形態は次の通りである。
広告検索手段は、当該広告情報についての検索結果情報をユーザ端末に送信する。
広告検索手段は、当該広告情報が登録されていた場合、その広告情報と関連づけて登録されているコンテンツ提供先のアドレス情報をユーザ端末へ送信する。
ユーザ端末へ送信されるアドレス情報は、ユーザ端末のインターネットプラウザ部で画面表示してアクセスできるＵＲＬである。
広告情報登録手段は、コンテンツを提供するコンテンツサーバから広告情報を読み出してデータベースに登録する。
ユーザ端末からの認証要求は、固有の識別情報が保存されている記録媒体を、ユーザ端末側でリーダーにて読み取ることにより行われる。
【発明の効果】
【０００８】
本発明では、まず、新聞、雑誌、フリーペーパーなどの広告欄に付加されたコード（バーコードやＩＣタグ等）の解析結果もしくは情報アクセス番号が、ユーザにより、サーバに送付されることで、１段階目の広告効果として記録する。また、インターネットへアクセスし、ユーザがその広告情報に興味を持った場合に、その情報を登録することができ、その登録をもって、２段階目の広告効果として記録する。そして、その登録情報としてクーポン券などがあった場合、ユーザは、固有の識別情報を保存した例えばＩＣチップ搭載のユーザ端末を、リーダーにかざすことにより、クーポン券などを利用することができ、これをもって、３段階目の広告効果として記録する。
これにより、広告のリクエスト、登録、利用という３段階で定量的に広告効果を計ることが可能となる。
【発明を実施するための最良の形態】
【０００９】
次に、本発明の実施例を図面に基づいて詳細に説明する。
【実施例】
【００１０】
本発明の実施例のシステム構成を図１に示す。
このシステムは、１台の広告管理サーバ１とｎ台のユーザ端末２とｍ台のＩＣカードリーダ３とｐ台のコンテンツサーバ４と、これらを結ぶネットワーク（インターネット）とから構成される。
【００１１】
広告管理サーバ１は、広告情報データベース１１と広告検索部１２と広告効果集計データベース１３とユーザ情報データベース１４と認証部１５を有する。
【００１２】
ユーザ端末２は、携帯電話機や携帯情報端末等であって、これには、画像読み取り部２１と情報アクセス番号処理部２２とインターネットプラウザ部２３とＩＣカード部２４とが備わっている。画像読み取り部２１は、新聞、雑誌、フリーペーパーなどの紙面に表記された３次元バーコードをカメラで撮影し、その画像からコードを解析できるようになっている。ＩＣカード部２４には、そのカード固有の識別番号（個体識別番号）や、ユーザが見た広告情報や、電子決済情報等が保存されており、ＩＣカードリーダ３にかざすことで、それらの情報がＩＣカードリーダ３にて公知のように読み取られる。
【００１３】
コンテンツサーバ４は、インターネットを通じて種々のコンテンツを提供するもので、コンテンツ処理部４１を有する。
【００１４】
次に、各部の機能を説明する。
ユーザ端末２の画像読み取り部２１で、雑誌などに掲載されている３次元バーコードを撮影し、３次元バーコード解析用のＢｒｅｗ（Binary Runtime Environment for Wireless、登録商標）アプリケーションソフトあるいはＪａｖａ（登録商標）アプリケーションソフトなどを用いて、３次元バーコードを解析する。そして、その解析結果を広告管理サーバ１の広告検索部１１に送信すると、この広告検索部１２から、当該ユーザ端末２へ広告検索結果が返信される。その広告検索結果に含まれるＵＲＬ（Uniform Resource Locator）を、ユーザ端末２で選択すると、インターネットブラウザ部２３が起動して当該ＵＲＬにアクセスできるようになっている。
【００１５】
ユーザ端末２の情報アクセス番号処理部２２で、情報アクセス番号を広告管理サーバ１の広告検索部１２に送信した場合も、広告管理サーバ１側の広告検索部１２から同様に広告検索結果が返信される。その広告検索結果に含まれるＵＲＬを選択すると、インターネットブラウザ部２３が起動して当該ＵＲＬにアクセスできるようになっている。情報アクセス処理部２２は、ユーザ端末２のメール機能あるいはインターネットブラウザ機能を使用して、本処理を実現することができる。
【００１６】
インターネットブラウザ部２３では、Ｗｅｂコンテンツを表示させ、ユーザがＩＣカード部２４に広告情報の登録を行うことができる。
【００１７】
ＩＣカードリーダ３は、ユーザ端末２のＩＣカード部２４に保存されている個体識別番号等を読み取り、広告管理サーバ１の認証部１５に引き渡す。また、認証を要求する広告情報も認証部１５に引き渡す。
【００１８】
広告管理サーバ１の広告検索部１２は、ユーザ端末２の画像読み取り部２１から送信された３次元バーコードの解析結果、あるいは、情報アクセス番号処理部２２から送信された情報アクセス番号に基づいて、広告情報データベース１１に広告情報が登録されているか検索を行う。そして、検索により得られた広告を、広告情報集計データベース１３に広告リクエストとして記録する。また、広告検索結果を、ユーザ端末２の画像読み取り部２１あるいは情報アクセス番号処理部２２に返信する。
【００１９】
広告情報データベース１１には、３次元バーコード解析結果あるいは情報アクセス番号と、広告情報とが関連付けて保存されている。
広告効果集計データベース１３には、広告ごとの広告リクエスト、広告登録、広告利用情報が保存される。
ユーザ情報データベース１４には、ユーザごとのユーザ識別番号と広告情報とが関連づけて保存される。
なお、これら３つデータベース１１・１３・１４は、一つ又は２つのデータベースに統合しても構わない。
【００２０】
認証部１５では、ＩＣカードリーダ３が取得した個体識別番号と要求する広告情報を受信する。そして、ユーザ情報データベース１４のユーザ情報とＩＣカードリーダ３から取得した個体識別番号及び広告情報を認証し、認証ＯＫであった場合、広告効果集計データベース１３に広告利用として記録する。
【００２１】
コンテンツサーバ４のコンテンツ処理部４１では、ユーザ端末２から要求されたＷｅｂコンテンツをブラウザ側に返す。また、ユーザ端末２のインターネットブラウザ部２３から要求されたコンテンツの広告情報を、広告効果集計データベース１３に広告ごとに広告登録として記録する。また、ユーザ端末２のインターネットブラウザ部２３から要求された広告情報をユーザ情報データベース１４に登録する。
【００２２】
次に、本実施例における、データベース構造について説明する。
テーブル１は、表１に示すように、広告情報の一例として、広告番号、広告名、広告会社、画像解析結果コード、情報アクセス番号、アクセスＵＲＬから構成している。
【００２３】
【表１】
2007213186.tif 000003
【００２４】
テーブル２は、広告効果情報の一例として、表２に示すように、日時、広告番号、広告効果フラグから構成している。ここで、広告効果フラグが１は広告リクエスト、２は広告登録、３は広告利用を示している。
【００２５】
【表２】
2007213186.tif 000004
【００２６】
テーブル３は、ユーザ情報の一例として、表３に示すように、ユーザＩＤ、パスワード、個体識別番号、メールアドレス、広告番号から構成している。
【００２７】
【表３】
2007213186.tif 000005
【００２８】
次に、フローチャートを参照して動作について説明する。
図２のフローチャートは、ユーザ端末２の画像読み取り部２１からの広告リクエスト記録処理を示す。
【００２９】
まず、広告検索部１２で、ユーザ端末２の画像読み取り部２１から画像解析結果を受信する（ステップＳ２１）。そして広告検索部１２で、受信した解析結果について、広告情報データベース１１に該当する広告情報が登録されているか検索する（ステップＳ２２、Ｓ２３）。
【００３０】
該当する広告情報があった場合、広告検索部１２で、その広告について広告効果集計データベース１３に広告リクエストとして記録し（ステップＳ２４）、広告検索結果を広告検索部１２から、ユーザ端末２の画像読み取り部２１に広告検索結果を送信する（ステップＳ２５）。
該当する広告情報がなかった場合、広告検索部１２で、ユーザ端末２の画像読み取り部２１に未登録結果情報を送信する（ステップＳ２６）。
【００３１】
図３のフローチャートは、ユーザ端末２の情報アクセス番号処理部２２からの広告リクエスト記録処理を示す。
まず、広告検索部１２で、情報アクセス番号処理部２２から情報アクセス番号を受信する（ステップＳ３１）。そして広告検索部１２で、受信した解析結果について、広告情報データベース１１に該当する広告情報が登録されているか検索する（ステップＳ３２、Ｓ３３）。
【００３２】
該当する広告情報があった場合、広告検索部１２で、その広告について広告効果集計データベース１３に広告リクエストとして記録し（ステップＳ３４）、広告検索結果を広告検索部１２から、ユーザ端末２の画像読み取り部２１に広告検索結果を送信する（ステップＳ３５）。
該当する広告情報がなかった場合、広告検索部１２で、ユーザ端末２の画像読み取り部２１に未登録結果情報を送信する（ステップＳ３６）。
【００３３】
図４のフローチャートは広告登録数カウント処理を示す。
まず、コンテンツサーバ４のコンテンツ処理部４１で、ユーザ端末２からのコンテンツ要求情報を受信する（ステップＳ４１）。そして、広告管理サーバ１の広告効果集計データベース１３に、そのコンテンツに関する広告について、広告登録として記録し（ステップＳ４２）、ユーザ情報データベース１４にその広告情報を登録する（ステップＳ４３）。
【００３４】
図５のフローチャートは広告利用数カウント処理を示す。
まず、ＩＣカードリーダ３で、ユーザ端末２のＩＣカード部２４からユーザ情報を取得する。そして、取得したユーザ情報と認証を要求する広告情報を認証部１５に引き渡す（ステップＳ５１）。認証部１５で、ユーザ情報データベース１４のユーザ情報とＩＣカード部２４から取得したユーザ情報及び広告情報を認証し（ステップＳ５２）、認証ＯＫであった場合（ステップＳ５３）、広告効果集計データベース１３に広告利用として記録する（ステップＳ５４）。
【００３５】
図６のフローチャートは、画像読み取り部２１からの広告リクエスト処理を示す。
まず、ユーザ端末２の画像読み取り部２１で、ユーザ端末２のカメラで雑誌などに掲載されている３次元バーコードを撮影し（ステップＳ６１）、３次元バーコード解析用のＢｒｅｗ（登録商標）アプリケーションソフトあるいはＪａｖａ（登録商標）アプリケーションソフトなどを用いて、３次元バーコードを解析する（ステップＳ６２）。そして、解析結果を広告管理サーバ１の広告検索部１２に送信する（ステップＳ６３）。
【００３６】
図７のフローチャートは、情報アクセス番号処理部２２による広告リクエスト処理を示す。
ユーザ端末２の情報アクセス番号処理部２２で、情報アクセス番号を広告管理サーバ１の広告検索部１２に送信する（ステップＳ７１）。送信は、ユーザ端末２のメール機能あるいはインターネットブラウザ機能を使用して行う。
【００３７】
図８のフローチャートは、画像読み取り部２１からの広告情報登録処理を示す。
まず、ユーザ端末２の画像読み取り部２１で、広告検索結果を受信し（ステップＳ８１）、広告検索結果を表示し、ＵＲＬを選択する（ステップＳ８２）。そして、インターネットブラウザ部２３を起動させて、コンテンツサーバ４にアクセスし、インターネットブラウザ部２３で目的のコンテンツを表示する（ステップＳ８３）。そして、コンテンツ処理部４１で、そのコンテンツに関する広告情報の登録を、広告効果集計データベース１３及びユーザ情報データベース１４に対して行う（ステップＳ８４）。なお、その登録処理は、コンテンツ処理部４１ではなく、広告管理サーバ１側で行ってもよい。
【００３８】
図９のフローチャートは、情報アクセス番号処理部２２による広告情報登録処理を示す。
まず、ユーザ端末２の情報アクセス番号処理部２２で、広告検索結果を受信し（ステップＳ９１）、広告検索結果を表示し、ＵＲＬを選択する（ステップＳ８２）。広告検索結果の受信は、メールあるいはインターネットブラウザで行う。そして、インターネットブラウザ部２３を起動させて、コンテンツサーバ４にアクセスし、インターネットブラウザ部２３で目的のコンテンツを表示する（ステップＳ９３）、コンテンツ処理部４１で、そのコンテンツに関する広告情報の登録を、広告効果集計データベース１３及びユーザ情報データベース１４に対して行う（ステップＳ９４）。なお、この場合の登録処理も、コンテンツ処理部４１ではなく、広告管理サーバ１側で行ってもよい。
【００３９】
図１０のフローチャートは、ＩＣカードリーダ４の読み取り処理を示す。
ユーザ端末２のＩＣカード部２４をＩＣカードリーダ３に接触させると、ＩＣカード部２４に保存されている上記のような情報が読み取られる。
なお、ＩＣカード以外の他の記録媒体を用いてもよい。
【図面の簡単な説明】
【００４０】
【図１】本発明の実施例のシステム構成を示すブロック図である。
【図２】ユーザ端末の画像読み取り部からの広告リクエスト記録処理を示すフローチャートである。
【図３】ユーザ端末の情報アクセス番号処理部からの広告リクエスト記録処理を示すフローチャートである。
【図４】広告登録数カウント処理を示すフローチャートである。
【図５】広告利用数カウント処理を示すフローチャートである。
【図６】ユーザ端末の画像読み取り部からの広告情報リクエスト処理を示すフローチャートである。
【図７】ユーザ端末の情報アクセス番号処理部からの広告情報リクエスト処理を示すフローチャートである。
【図８】ユーザ端末の画像読み取り部からの広告情報登録処理を示すフローチャートである。
【図９】ユーザ端末の情報アクセス番号処理部からの広告情報登録処理を示すフローチャートである。
【図１０】ＩＣカードリーダの読み取り処理を示すフローチャートである。
【符号の説明】
【００４１】
１  広告管理サーバ
２  ユーザ端末
ＩＣカードリーダ３
４  コンテンツサーバ
１１  広告情報データベース
１２  広告検索部
１３  広告効果集計データベース
１４  ユーザ情報データベース
１５  認証部
２１  画像読み取り部
２２  情報アクセス番号処理部
２３  インターネットプラウザ部
２４  ＩＣカード部
４１  コンテンツ処理部
【図１】
2007213186.tif 000006
【図２】
2007213186.tif 000007
【図３】
2007213186.tif 000008
【図４】
2007213186.tif 000009
【図５】
2007213186.tif 000010
【図６】
2007213186.tif 000011
【図７】
2007213186.tif 000012
【図８】
2007213186.tif 000013
【図９】
2007213186.tif 000014
【図１０】
2007213186.tif 000015